(57)【要約】【課題】スピーディかつスムーズに公募と投資の手続を進めることができ、ひいては短時間で建設費を集めることができる医療用加速器の建設費の電子公募システム及び電子公募方法を得る。【解決手段】粒子線又は陽子線治療を使用した癌治療を優先的に受けられる権利である治療優先権と、粒子線又は陽子線治療を使用した癌治療を安価で受けられる権利である割安治療権の権利の提供を条件として、募集案件毎について募集口数及び１口当りの金額をホームページ上の公募画面で提示して、募集案件毎の建設費の投資の公募を行うサーバー１０と、募集案件毎についての投資口数を前記ホームページ上の投資画面で入力して、前記公募に対して前記治療優先権と前記割安治療権の権利の獲得を条件に投資するクライアント４０、５０とを設けた。【選択図】図１
2005044294.tif 000002
【特許請求の範囲】
【請求項１】
粒子線又は陽子線治療を使用した癌治療を優先的に受けられる権利である治療優先権、粒子線又は陽子線治療を使用した癌治療を安価で受けられる権利である割安治療権のいずれか一方の権利又は両方の権利の提供を条件として、募集案件毎について少なくとも募集口数及び１口当りの金額をホームページ上の公募画面で提示して、募集案件毎の建設費の投資の公募を行う第１の端末装置と、
募集案件毎についての投資口数を前記ホームページ上の投資画面で入力して、前記公募に対して前記治療優先権、前記割安治療権のいずれか一方の権利又は両方の権利の獲得を条件に投資する第２の端末装置と
を備えたことを特徴とする医療用加速器の建設費の電子公募システム。
【請求項２】
前記第１の端末装置は、募集案件毎について募集期限をホームページ上の公募画面で提示し、前記募集期限が到来したときに、投資口数の合計が募集口数より多い場合には、前記投資口数の合計の比例配分により投資家毎の配分口数を決定し、その配分結果を前記ホームページ上の配分結果画面で表示する
ことを特徴とする請求項１記載の医療用加速器の建設費の電子公募システム。
【請求項３】
粒子線又は陽子線治療を使用した癌治療を優先的に受けられる権利である治療優先権、粒子線又は陽子線治療を使用した癌治療を安価で受けられる権利である割安治療権のいずれか一方の権利又は両方の権利の提供を条件として、募集案件毎について少なくとも募集口数及び１口当りの金額をホームページ上の公募画面で提示して、募集案件毎の建設費の投資の公募を行う公募ステップと、
募集案件毎についての投資口数を前記ホームページ上の投資画面で入力して、前記公募に対して前記治療優先権、前記割安治療権のいずれか一方の権利又は両方の権利の獲得を条件に投資する投資ステップと
を含むことを特徴とする医療用加速器の建設費の電子公募方法。
【請求項４】
前記公募ステップで、募集案件毎について募集期限をホームページ上の公募画面で提示し、
前記募集期限が到来したときに、投資口数の合計が募集口数より多い場合には、前記投資口数の合計の比例配分により投資家毎の配分口数を決定し、その配分結果を前記ホームページ上の配分結果画面で表示する配分ステップ
をさらに含むことを特徴とする請求項３記載の医療用加速器の建設費の電子公募方法。
【発明の詳細な説明】
【技術分野】
【０００１】
この発明は、粒子線治療施設（装置）や陽子線治療施設（装置）等の医療用加速器の建設にあたりその建設費獲得を目的に投資家に対してネットワークを通じて電子公募を行う医療用加速器の建設費の電子公募システム及び電子公募方法に関するものである。
【背景技術】
【０００２】
従来の電子入札システムは、入札の募集に応答して入札を電子的に提供するため、売手は第三者供給源から取得したセッション鍵を使用して、付け値案を暗号化する。暗号化された提案は、入札期間が残っている間はセッション鍵へのアクセス権を有しない入札要求者に提出される。暗号化された付け値案は、入札の終了まで安全なリポジトリにキャッシュ記憶される。一実施例では、入札要求者自体が、入札提出期間の満了時に、提案の内容にアクセスするためのセッション鍵を第三者から取得する。他の実施例では、入札要求者が、暗号化された付け値案を受け取る時に、提案を二重に暗号化し、入札の終了まで第三者に転送し、第三者は入札終了後に提案を入札要求者に返す（例えば、特許文献１参照）。
【０００３】
【特許文献１】特開２０００−２９９７３号公報（第１頁、図２）
【発明の開示】
【発明が解決しようとする課題】
【０００４】
上述したような従来の電子入札システムでは、ネットワークを利用したオークションにしか適用されておらず、投資家より投資を募るシステムが求められている。
また、投資家に対し紙面による公募を行う従来の方法では、タイムリーな状況把握が困難で、また権利配分（割当）に多大な時間を要するという問題点があった。
【０００５】
この発明は、上述のような課題を解決するためになされたもので、その目的は、スピーディかつスムーズに公募と投資の手続を進めることができ、ひいては短時間で建設費を集めることができる医療用加速器の建設費の電子公募システム及び電子公募方法を得るものである。
【課題を解決するための手段】
【０００６】
この発明に係る医療用加速器の建設費の電子公募システムは、粒子線又は陽子線治療を使用した癌治療を優先的に受けられる権利である治療優先権、粒子線又は陽子線治療を使用した癌治療を安価で受けられる権利である割安治療権のいずれか一方の権利又は両方の権利の提供を条件として、募集案件毎について少なくとも募集口数及び１口当りの金額をホームページ上の公募画面で提示して、募集案件毎の建設費の投資の公募を行う第１の端末装置と、募集案件毎についての投資口数を前記ホームページ上の投資画面で入力して、前記公募に対して前記治療優先権、前記割安治療権のいずれか一方の権利又は両方の権利の獲得を条件に投資する第２の端末装置とを設けたものである。
【発明の効果】
【０００７】
この発明に係る医療用加速器の建設費の電子公募システムは、スピーディかつスムーズに公募と投資の手続を進めることができ、ひいては短時間で建設費を集めることができるという効果を奏する。
【発明を実施するための最良の形態】
【０００８】
実施の形態１．
この発明の実施の形態１に係る医療用加速器の建設費の電子公募システムについて図面を参照しながら説明する。図１は、この発明の実施の形態１に係る医療用加速器の建設費の電子公募システムの構成を示す図である。なお、各図中、同一符号は同一又は相当部分を示す。
【０００９】
図１において、本電子公募システムは、医療用加速器の運営者のパソコンなどのサーバー（第１の端末装置）１０と、このサーバー１０に接続された大容量の記憶装置に構築されたデータベース２０と、インターネットなどのネットワーク３０と、保険会社Ａのパソコンなどのクライアント（第２の端末装置）４０と、保険会社Ｂのパソコンなどのクライアント（第２の端末装置）５０と、消費者のパソコンなどのクライアント６０とを備える。なお、生命保険会社などのクライアントの数は、２社に限られず、１０社〜、１００社〜でも構わない。
【００１０】
つぎに、この実施の形態１に係る医療用加速器の建設費の電子公募システムの動作について図面を参照しながら説明する。
【００１１】
本実施の形態１は、癌を治療するための粒子線治療施設や陽子線治療施設などの医療用加速器を各都道府県などに建設するための費用を、粒子線又は陽子線治療を使用した癌治療を優先的に受けられる権利である治療優先権と、粒子線又は陽子線治療を使用した癌治療を安価で受けられる権利である割安治療権の提供を条件として、インターネットなどのネットワークを介して公募を行うシステムである。
【００１２】
生命保険会社などの投資家に対しては、癌治療を優先的に受けられる権利（治療優先権）と、安価で癌治療を受けられる権利（割安治療権）をオンライン上で投資額に応じて自動配分する。また、投資状況や権利の配分（割当）結果を運営者のホームページに載せて、投資家だけでなく、第３者である一般の消費者からも閲覧可能とし、生命保険会社などの企業の宣伝も行う。なお、投資１口当り、例えば１〜１０名分の治療優先権と割安治療権を割り当てる。また、割り当てる権利は、治療優先権、割安治療権のいずれか一方でもよい。
【００１３】
図２は、この発明の実施の形態１に係る医療用加速器の建設費の電子公募システムの公募画面例を示す図である。医療用加速器建設費公募画面例では、項目として、『募集案件』、『募集口数』、１口当りの『金額』、『必要金額（目標金額）』、『募集期限』などから構成されている。例えば、『募集案件』として「○○治療室」、「△△治療室」、「□□治療室」、『募集口数』として「１５」、「１０」、「３」、１口当りの『金額』として「○千円／１口」、『必要金額（目標金額）』として「○○千円」、『募集期限』として「０３年０８月１０日」、「０３年０８月１０日」がそれぞれ表示されている。
【００１４】
図３は、この発明の実施の形態１に係る医療用加速器の建設費の電子公募システムの投資画面例を示す図である。この投資画面例では、項目として、『募集案件』、『投資口数』、［投資ボタン］などから構成されている。例えば、『募集案件』として「○○治療室」、「△△治療室」、「□□治療室」、『投資口数』として「１５」、「５」がそれぞれ表示されている。
【００１５】
図４は、この発明の実施の形態１に係る医療用加速器の建設費の電子公募システムのデータベースの構成を示す図である。このデータベース２０は、項目として、『募集案件』、『募集口数』、１口当りの『金額』、『必要金額（目標金額）』、『募集期限』、『エントリー会社名』、エントリー会社毎の『投資口数』、エントリー会社毎の『配分結果』、エントリー会社毎の『投資金額』などから構成されている。例えば、『募集案件』として「○○治療室」、「△△治療室」、「□□治療室」、『募集口数』として「１５」、「１０」、「３」、１口当りの『金額』として「○千円／１口」、『必要金額（目標金額）』として「○○千円」、『募集期限』として「０３年０８月１０日」、「０３年０８月１０日」、『エントリー会社名』として「Ａ社」、「Ｂ社」、「Ｃ社」、「Ｄ社」、『投資口数』として「１５」、「１２」、「１０」等、『配分結果』として「６」、「５」、「４」等、『投資金額』として「○○千円」がそれぞれ記憶されている。なお、『投資金額』は、１口当りの『金額』と『配分結果』を掛算したものである。また、公募前は、『エントリー会社名』、『投資口数』、『配分結果』、及び『投資金額』は、空欄である。
【００１６】
図５は、この発明の実施の形態１に係る医療用加速器の建設費の電子公募システムの配分結果画面例を示す図である。この配分結果画面例では、項目として、『保険会社』、『治療室』、棒グラフの『獲得数』などから構成されている。例えば、『保険会社』として「Ａ」、「Ｂ」、『治療室』として「○○治療室」、「△△治療室」、『獲得数』として「６」、「４」、「５」、「２」の大きさの棒グラフがそれぞれ表示されている。
【００１７】
図６は、この発明の実施の形態１に係る医療用加速器の建設費の電子公募システムの動作を示すフローチャートである。
【００１８】
ステップ１０１において、医療用加速器の運営者は、医療用加速器の建設費を公募する。運営者は、図２のようなホームページ上の公募画面で投資の募集を行う。また、運営者は、生命保険会社などの投資家に対して、Ｅメールなどで、ホームページのアドレスとともに、医療用加速器の建設費を公募することを知らせる。
【００１９】
運営者は、例えば、１口５０００万円で３名分の粒子線や陽子線治療を利用した癌患者治療の治療優先権と割安治療権を元手に投資をしてくれる生命保険会社を募集する。
【００２０】
次に、ステップ１０２において、生命保険会社などの投資家は、医療用加速器の建設費の公募に対して投資を行う。投資家は、図３のようなホームページ上の投資画面で投資の手続を行う。公募に対して、陽子線または粒子線治療を使用した治療優先権および割安治療権の獲得を条件に投資する。
【００２１】
医療用加速器の建設費の公募および投資の活動を必要な建設費が集まるまで繰り返す。医療用加速器の建設費が集まり次第、公募を自動的に終了させて、生命保険会社からの投資金を使用して医療用加速器の建設に着手し、完成後は開院して、陽子線または粒子線治療を開始し、治療優先権と割安治療権を提供する。
【００２２】
次に、ステップ１０３において、医療用加速器の運営者は、投資家に対して治療優先権と割安治療権を提供する。運営者のサーバー１０では、投資口数、つまり投資された金額に対応して治療優先権と割安治療権が自動的に配分される。一般の消費者は、オンライン上で図５のような配分結果画面を閲覧することができる。
【００２３】
次に、ステップ１０４において、生命保険会社などの投資家は、獲得した治療優先権と割安治療権を販売する。投資家は、獲得した権利の活用の一例として、一般の消費者に対して獲得した治療優先権と割安治療権を保険商品として販売する。例えば、生命保険会社は、癌治療の治療優先権と割安治療権が付随した保険商品を、自社のホームページ上の保険商品販売画面（図示せず）で販売する。
【００２４】
一般の消費者は、医療用加速器の運営者のホームページをアクセスして、図２のような公募画面や、図５のような配分結果画面を閲覧し、公募および投資の活動や宣伝を見る。そして、公募および投資の活動や宣伝を参考にして、癌治療の治療優先権と割安治療権が付随した保険商品を販売している生命保険会社を決め、その生命保険会社のホームページをアクセスする。生命保険会社のホームページ上の保険商品販売画面（図示せず）で購入の手続を行う。その後、消費者は、癌に発病した場合には、購入した保険商品で保証された陽子線または粒子線治療加速器施設に入院して癌治療の治療優先権と割安治療権を行使する。
【００２５】
ここで、医療用加速器の運営者のサーバーの動作について説明する。
【００２６】
医療用加速器の運営者のサーバー１０は、第１のステップとして、生命保険会社などの投資家によってホームページがアクセスされ、このホームページ上で［公募画面ボタン（図示せず）］がクリックされると、データベース２０の記憶内容に基づいて、図２のような医療用加速器建設費公募画面を表示出力する。
【００２７】
次に、第２のステップとして、生命保険会社などの投資家によって医療用加速器建設費公募画面上で［投資画面ボタン（図示せず）］がクリックされると、図３のような投資画面を表示出力する。
【００２８】
次に、第３のステップとして、生命保険会社などの投資家によって投資画面上で投資口数が入力され、［投資ボタン］がクリックされると、投資家（エントリー会社名）毎に、当該募集案件に対して会社名と投資口数を図４のデータベース２０に記憶する。
【００２９】
次に、第４のステップとして、募集期限が到来するまで上記の第１のステップから第３のステップまでの処理を繰り返す。
【００３０】
次に、第５のステップとして、募集期限が到来した募集案件について、複数の投資家による投資口数の合計が募集口数よりも多いときは、上記投資口数の合計の比例配分により投資家毎の配分口数を決定する。この決定された配分口数を配分結果としてデータベース２０に記憶する。投資口数の合計が募集口数と同じときは、図４の最下段に示すように、投資口数をそのまま配分口数とする。投資口数の合計が募集口数より多いときには、図４の最上段や中段に示すように、募集口数に基づいて投資口数を比例配分して投資家毎の配分口数とする。
【００３１】
図４に示す例では、募集案件「○○治療室」の募集口数「１５」に対する各社の投資口数の合計は、「１５」＋「１２」＋「１０」＝「３７」である。これを比例配分すると、Ａ社は、１５×（１５／３７）≒６．０８、Ｂ社は、１５×（１２／３７）≒４．８６、Ｃ社は、１５×（１０／３７）≒４．０５となり、小数点以下を四捨五入して配分口数をそれぞれ「６」、「５」、「４」と決定する。この結果、配分口数の合計（１５）が募集口数「１５」と一致する。
【００３２】
比例配分の詳細については、医療用加速器の運営者のホームページに告知しておく。上記の比例配分では、小数点以下を単純に四捨五入して配分口数の合計が募集口数と一致したが、一致しない場合には、小数点以下を切り捨てたり、切り上げたりしてもよい。その結果、配分口数の合計が募集口数に満たない場合には、余った口数を投資口数の多い保険会社に配分したり、投資の早い保険会社に配分したりしてもよい。また、配分口数の合計が募集口数を上回る場合には、配分口数の最大値から上回る数を引いてもよい。なお、投資口数に応じた配分は、抽選でもよい。
【００３３】
次に、第６のステップとして、投資家や消費者などによってホームページがアクセスされ、このホームページ上で［配分結果画面ボタン（図示せず）］がクリックされると、データベース２０の記憶内容に基づいて、図５のような配分結果画面を表示出力する。
【００３４】
次に、第７のステップとして、投資口数に基づいて決まった配分結果で投資金額を計算してデータベース２０に記憶する。そして、この投資金額を電子マネーなどで決済する。
【００３５】
第８のステップとして、募集期限が到来した募集案件で、投資口数の合計が募集口数未満のときには、募集期限を所定の期間、例えば２ヶ月間延長して上記の第１のステップから第４のステップまでの処理を繰り返す。なお、延長の回数は、１回だけでなく、複数回でもよい。
【００３６】
第９のステップとして、募集期限を延長しても投資口数の合計が募集口数未満のときには、医療用加速器の建設を取り止め、その旨を、投資口数の合計が募集口数未満のためであるという理由とともにホームページに告知する。なお、１口当りの金額を下げるなどの条件を変えて医療用加速器の建設費の電子公募を再度実施してもよい。
【００３７】
ここで、生命保険会社のクライアントの動作について説明する。
【００３８】
例えば、保険会社Ａのクライアント４０は、第１のステップとして、運営者のホームページのアドレスが入力されると、表示装置に運営者のホームページを表示し、このホームページ上で［公募画面ボタン（図示せず）］がクリックされると、表示装置に図２のような医療用加速器建設費公募画面を表示する。
【００３９】
つづいて、第２のステップとして、医療用加速器建設費公募画面上で［投資画面ボタン（図示せず）］がクリックされると、表示装置に図３のような投資画面を表示する。
【００４０】
つづいて、第３のステップとして、この投資画面上で当該募集案件に対して投資口数が入力され、［投資ボタン］がクリックされると、入力された投資口数を表示し、クリックされた［投資ボタン］を色や形状などで変化させる。この［投資ボタン］のクリックは、入力された投資口数の決定を意味する。なお、［取消ボタン（図示せず）］のクリックにより入力された投資口数を取り消すことも可能である。
【００４１】
第４のステップとして、運営者のホームページのアドレスが入力されると、表示装置に運営者のホームページを表示し、このホームページ上で［配分結果画面ボタン（図示せず）］がクリックされると、表示装置に図５のような配分結果画面を表示する。
【００４２】
ここで、消費者のクライアントの動作について説明する。
【００４３】
例えば、消費者のクライアント６０は、運営者のホームページのアドレスが入力されると、表示装置に運営者のホームページを表示し、このホームページ上で［公募画面ボタン（図示せず）］がクリックされると、表示装置に図２のような医療用加速器建設費公募画面を表示する。また、このホームページ上で［配分結果画面ボタン（図示せず）］がクリックされると、表示装置に図５のような配分結果画面を表示する。
【００４４】
医療用加速器の建設費を投資家に対して電子公募を行うことにより、建設費を獲得するまでの手続がスピーディかつスムーズに行える。また、オンライン上で手続を行うため投資状況がタイムリーに把握できる。さらに、電子公募をオンライン上で行うため投資に対する結果を第３者がホームページで閲覧できるので、宣伝として使用することができる。
【図面の簡単な説明】
【００４５】
【図１】この発明の実施の形態１に係る医療用加速器の建設費の電子公募システムの構成を示す図である。
【図２】この発明の実施の形態１に係る医療用加速器の建設費の電子公募システムの公募画面例を示す図である。
【図３】この発明の実施の形態１に係る医療用加速器の建設費の電子公募システムの投資画面例を示す図である。
【図４】この発明の実施の形態１に係る医療用加速器の建設費の電子公募システムのデータベースの構成を示す図である。
【図５】この発明の実施の形態１に係る医療用加速器の建設費の電子公募システムの配分結果画面例を示す図である。
【図６】この発明の実施の形態１に係る医療用加速器の建設費の電子公募システムの動作を示すフローチャートである。
【符号の説明】
【００４６】
１０  サーバー（第１の端末装置）、２０  データベース、３０  ネットワーク、４０  クライアント（第２の端末装置）、５０  クライアント（第２の端末装置）、６０  クライアント。
【図１】
2005044294.tif 000003
【図２】
2005044294.tif 000004
【図３】
2005044294.tif 000005
【図４】
2005044294.tif 000006
【図５】
2005044294.tif 000007
【図６】
2005044294.tif 000008